(57)【要約】【課題】  ゴミ等の拭き取り性能が良好であり、床面等にこぼれた水分を拭き取る効果にも優れ、水分を拭き取った後にもゴミ等の拭き取り効果の低下しない清掃用シートを提供すること。【解決手段】  本発明の清掃用シートは、少なくとも、親水性繊維を主体とする中間層と、該中間層の両面にそれぞれ積層された疎水性繊維を含む上面層及び下面層とからなり、上記上面層及び下面層の少なくとも一方にアクリル繊維が５質量％以上含有されることを特徴とする。【選択図】  図１
2005074133.tif 000002
【特許請求の範囲】
【請求項１】
少なくとも、親水性繊維を主体とする中間層と、該中間層の両面にそれぞれ積層された疎水性繊維を含む上面層及び下面層とからなり、
上記上面層及び下面層の少なくとも一方にアクリル繊維が５質量％以上含有されることを特徴とする清掃用シート。
【請求項２】
上記アクリル繊維の繊度が、２ｄｔｅｘ以下である、請求項１に記載の清掃用シート。
【請求項３】
前記中間層が少なくともパルプを含有する親水性繊維からなる層である、請求項１又は２に記載の清掃用シート。
【請求項４】
前記中間層、上面層及び下面層が、ニードルパンチ又はスパンレース法により各層が絡合によって一体化処理されている、請求項１〜３のいずれか１項に記載の清掃用シート。
【発明の詳細な説明】
【技術分野】
【０００１】
本発明は、清掃用シートに関し、特には、ゴミ等の拭き取り性能が良好であり、かつ水分の吸収性能に優れた清掃用シートに関する。
【０００２】
従来より、一般住宅において、床の汚れを除去したり、棚面の埃や毛髪類等の微細なゴミをふき取るために清掃用シートが用いられている。清掃用シートは、棒状の柄の先端に対して揺動可能に取り付けられたシート取付部に対して着脱自在に装着されて使用されるか、又は直接に手で持ってワイプとして使用されるものである。
【０００３】
また、上述したように、清掃用シートは埃や毛髪類等を清掃するために用いられるが、水拭きをしたり、こぼれた水を拭き取るために有効に使用できるようなものが開発されている。例えば、特開２００１−１９０４６９号公報（特許文献１）には、親水性繊維を５０重量％以上含有する親水性繊維層の少なくとも一方の面に、分割型複合繊維を５０％以上含有する極細繊維層を配し、三次元絡合により一体化されてなる複合不織布が開示されている。該公報には、この複合不織布がウェット状、ドライ状のいずれの状態でも使用可能であることが開示されている。
【０００４】
また、特開平９−２７６１９３号公報（特許文献２）には、親水性繊維からなるウェブまたは吸水性シートの片面もしくは両面に、合成繊維からなる繊維ウェブを積層し、両層間を絡合状態で一体化した清掃用シートが開示されている。該公報には、この清掃用シートが空拭き清掃における埃取り性能に優れ、水拭きにも有効であることが開示されている。
【０００５】
また、特開平１１−２６７０７９号公報（特許文献３）には、少なくとも２層以上の多層構造のシートであり、複数の開孔部を持つ層と開孔部を持たない層とが重ねられたシートが開示されている。該公報には、このシートが乾拭きと水拭きのどちらにも使用可能であることが開示されている。
【０００６】
上記特許公報１〜３に開示された清掃用シート等は、ある程度は埃等を拭き取る性能に優れ、水を吸収することができるものである。また、上記特許文献１〜３に開示されたものは、確かに吸水性能を有する層が設けられていることにより水分の吸収は可能であるが、水分を拭き取った後の埃等のゴミの拭き取り性能が低下してしまうという問題があった。
【０００７】
また、水分の拭き取りに関しても、水分の量にもよるが、１回の拭き取りでは水分が完全に吸収されず、床面等に拭き取りによる水筋ができてしまう場合があり、複数回拭き取る必要がある等、水分の拭き取り能力が低いという問題もあった。
【０００８】
【特許文献１】特開２００１−１９０４６９号公報
【特許文献２】特開平９−２７６１９３号公報
【特許文献３】特開平１１−２６７０７９号公報
【発明の開示】
【発明が解決しようとする課題】
【０００９】
従って、本発明の目的は、ゴミ等の拭き取り性能が良好であり、床面等にこぼれた水分を拭き取る効果にも優れ、水分を拭き取った後にもゴミ等の拭き取り効果の低下しない清掃用シートを提供することにある。
【課題を解決するための手段】
【００１０】
本発明者らは、上記目的を達成すべく鋭意検討した結果、少なくとも、親水性繊維を主体とする中間層と、該中間層の両面にそれぞれ積層された疎水性繊維を含む上面層及び下面層とからなる清掃用シートにおいて、上面層及び下面層の少なくとも一方に特定の繊維を含有させることにより、上記目的を達成し得るという知見を得、本発明を完成させた。
本発明は上記知見に基づいてなされたものであり、少なくとも、親水性繊維を主体とする中間層と、該中間層の両面にそれぞれ積層された疎水性繊維を含む上面層及び下面層とからなり、上記上面層及び下面層の少なくとも一方にアクリル繊維が５質量％以上含有されることを特徴とする清掃用シートを提供するものである。
上記清掃用シートは、ゴミ等の拭き取り性能が良好であり、床面等にこぼれた水分を拭き取る効果にも優れ、水分を拭き取った後にもゴミ等の拭き取り効果の低下しないものである。
【００１１】
また、上記アクリル繊維の繊度は、２ｄｔｅｘ以下であることが好ましい。
中間層は少なくともパルプを含有する親水性繊維からなる層であることが好ましい。
中間層、上面層及び下面層は、ニードルパンチ又はスパンレース法により各層が絡合によって一体化処理されていることが好ましい。
【発明の効果】
【００１２】
本発明の清掃用シートは、ゴミ等の拭き取り性能が良好であり、床面等にこぼれた水分を拭き取る効果にも優れ、水分を拭き取った後にもゴミ等の拭き取り効果の低下しないものである。
【発明を実施するための最良の形態】
【００１３】
以下、本発明を、その好ましい実施形態に基づき図面を参照しながら説明する。図１には、本発明の清掃用シートの実施形態における断面構造の模式図が示されている。
【００１４】
図１に示す実施形態の清掃用シート１は、中間層２と、該中間層２の両面にそれぞれ積層された上面層３及び下面層４とからなる。中間層２は親水性繊維を主体とする層であり、親水性繊維を好ましくは８０質量％以上含有し、更に好ましくは９０質量％以上含有し、最も好ましくは親水性繊維のみからなる層である。
【００１５】
中間層２は、吸水層及び保水層として機能する層であり、綿又はパルプ等の天然繊維、レーヨン、キュプラ等の再生繊維等を用いることができる。これらの繊維の中でも、パルプ繊維を用いることが好ましく、パルプ繊維を主体とすることが好ましい。また、パルプ繊維を１００％とする層とすることが最も好適である。また、この中間層２は綿状（フラッフパルプ）ではなく、高密度化されたシート状のものを用いることが、吸水速度及び保水性を向上させる観点から好ましい。
【００１６】
前記パルプ繊維としては、通常のパルプ繊維、例えば針葉樹又は広葉樹の化学パルプ（クラフトパルプ）、半化学パルプ、半化学パルプ及び機械パルプ等の木材パルプに加え、アルカリ処理により楕円形状としたマーセル化パルプ、架橋剤により改質されたクリンプパルプ等が使用可能である。また、針葉樹パルプは、機能及び価格の点で好適に用いられる。中間層２の坪量は２０〜４０ｇ／ｍ2とすることが好ましく、２５〜３５ｇ／ｍ2とすることが更に好ましい。坪量が２０ｇ／ｍ2未満であると吸水能力、特に保水性能が低下する場合があり、一方、４０ｇ／ｍ2を超えると、吸水能力が過剰になると共に、清掃用シートの厚みが増加し、嵩が出過ぎるようになる場合がある。中間層２に用いられる繊維は、短繊維であっても長繊維であってもよい。
【００１７】
上面層３及び下面層４は、疎水性繊維を含む層である。上面層３及び下面層４は、少なくとも２０質量％以上、好ましくは３０質量％以上、最も好ましくは６０質量％以上の疎水性繊維を含有する。上面層３及び下面層４が疎水性繊維を含有することにより、ある程度の撥水性を持たせることができるので好ましい。
【００１８】
疎水性繊維としては、例えばポリエチレン、ポリプロピレン及びポリビニルアルコール等のポリオレフィン系繊維、ポリエチレンテレフタレート、ポリブチレンテレフタレート等のポリエステル繊維や、ポリエチレンテレフタレート／ポリエチレン、ポリエチレンテレフタレート／ポリプロピレン、ポリプロピレン／ポリエチレン、ポリエチレンテレフタレート−エチレン・プロピレン共重合体、低融点ポリエステル−ポリエステル等からなる鞘部分が相対的に低融点とされる芯鞘型複合繊維又は偏心芯鞘型複合繊維、又はポリエチレンテレフタレート／ポリプロピレン、ポリエチレンテレフタレート／ナイロン、ポリプロピレン／ポリエチレンからなる各成分の一部が表面に露出している分割型複合繊維、あるいはポリエチレンテレフタレート／エチレン−プロピレン共重合体からなる一方の成分の熱収縮により分割する熱分割型複合繊維等を使用することができる。疎水性繊維の繊度に特に制限はないが、例えば０．１〜５．０ｄｔｅｘとすることが好ましい。また、疎水性繊維は、短繊維であっても長繊維であってもよい。上記疎水性繊維の中でも、ポリエステル繊維が好ましく用いられる。ポリエステル繊維を用いることにより、コシが向上し、嵩のある清掃用シートを得ることができる。
【００１９】
また、上面層３及び下面層４のいずれか一方にはアクリル繊維を５質量％以上含まれ、１０質量％以上含むことが好ましい。アクリル繊維を５質量％以上含むことにより、こぼした水等の液体を拭いた際に中間層２に至らない水分を繊維中に吸収し保水することができる。本発明の清掃用シートは、上面層３及び下面層４のいずれか一方にアクリル繊維を５質量％以上含んでいるが、上面層３及び下面層４の両方にアクリル繊維を５質量％以上含むことが好ましい。
また、アクリル繊維の繊度は５ｄｔｅｘ以下であることが好ましく、２ｄｔｅｘ以下であることが更に好ましい。アクリル繊維の繊度が５ｄｔｅｘを超えると、アクリル繊維は固い繊維であるため、清掃用シート自体が固くなってしまう場合がある。また、繊維自体にしなやかさなくなり、ホコリのからめ取り性能が低下する場合がある。
【００２０】
上面層３及び下面層４の坪量は、それぞれ、好ましくは１０〜８０ｇ／ｍ2であり、更に好ましくは１５〜２５ｇ／ｍ2である。坪量が１０ｇ／ｍ2未満であると、実質的に埃や毛髪類を拭き取る層厚が薄くなりすぎて所望の清拭性能を得ることができない場合があり、一方、８０ｇ／ｍ2を超えると、層厚が大きくなり、水分を拭き取った際に、水分が中間層２に到達し難くなり、上面層３及び下面層４の親水性繊維に保水されてしまうため好ましくない。
また、上面層３及び下面層４の厚みは、好ましくは０．２〜３ｍｍであり、更に好ましくは０．５〜２ｍｍである。上面層３及び下面層４の厚みは同一であってもよく、また異なっていてもよい。また、上面層３及び下面層４の組成についても同一であってもよく、異なっていてもよい。
【００２１】
本発明の清掃用シート１は、中間層２と、中間層２の両面にそれぞれ積層された上面層３及び下面層４とからなり、例えば、中間層２、上面層３及び下面層４は、ニードルパンチ又はスパンレース法により各層が絡合によって一体化処理されている。スパンレース法による製造方法について具体的に説明すると、中間層２、上面層３及び下面層４の結合は、高圧水流の投射により繊維を交絡させ一体化されてシートとするのが好ましい。高圧噴射された水流により、中間層２のパルプ層が表裏面層を結合する媒体層となり、表裏面の上面層３及び下面層４を一体的に結合することができる。
【００２２】
なお、清掃用シートの各層の結合に際し、繊維中にポリエチレン、ポリプロピレン等の熱融着性繊維を混入しておき、高圧水流によって繊維同士を三次元的に交絡させた後、熱を加えて熱融着性繊維を融着することによって各層の結合を強固とする方法もあるが、本発明の清掃用シートの場合には、このような方法を採ると、シートが固くなりすぎてしまうこと、及び熱融着部が水分の透過を阻害することになるため、繊維間の熱融着を行わないことが好ましい。
【００２３】
また、本発明の清掃用シートの表面層に凹凸を形成して模様を形成することもできる。この場合、ライン上にて、形成した表面模様をなすワイヤメッシュ上に、上面層３、中間層２、下面層４の順で積層し、搬送中にこの繊維ウェブの上方から高圧水流を噴射して繊維同士が交絡するようにする。
【００２４】
上述した説明においては、本発明の清掃用シートは高圧水流によるスパンレース法により製造されているが、例えば鉤状針を抜き差しすることにより繊維の交絡を図るニードルパンチ法によって各層の結合を行ってもよい。
【００２５】
上述した説明においては、本発明の清掃用シートは、中間層２、上面層３及び下面層４から構成されているが、中間層２と上面３との間、中間層２と下面層４との間に他の層を設けてもよい。
【実施例】
【００２６】
以下に、実施例を示し、本発明をさらに具体的に説明するが、本発明はこれに限定されるものではない。本実施例では、以下の方法で清掃用シートの評価を行った。
（１）試験１
柄のついた掃除治具に清掃用シートを取り付け、髪の毛１０本、及び埃を床に撒き、清掃用シートを取り付けた掃除治具を髪の毛及び埃の上を５往復させ、髪の毛が何本とれたかを目視により確認した。下記評価基準に従って評価を行った。
◎：とれた髪の毛の本数が７本以上であった。
○：とれた髪の毛の本数が４〜６本であった。
△：とれた髪の毛の本数が１〜３本であった。
×：とれた髪の毛の本数が０本であった。
【００２７】
（２）試験２
柄のついた掃除治具に清掃用シートを取り付け、髪の毛１０本、及び埃を床に撒き、清掃用シートを取り付けた掃除治具を髪の毛及び埃の上を５往復させ、髪の毛及び埃を清掃用シートに付着させた後、装置治具の柄を持って５回振り、髪の毛が何本落ちたかを目視により確認した。下記評価基準に従って評価を行った。
◎：髪の毛は全く落ちなかった。
○：髪の毛が落ちた本数は１〜３本であった。
△：髪の毛が落ちた本数は４〜６本であった。
×：髪の毛が落ちた本数は７〜１０本であった。
【００２８】
（３）試験３
柄のついた掃除治具に清掃用シートを取り付け、粒径の小さいゴミ（砂粒）２０粒を床に撒き、清掃用シートを取り付けた掃除治具をゴミの上を１０往復させ、ゴミが何個とれたかを目視により確認した。下記評価基準に従って評価を行った。
◎：とれたゴミの個数が１５個以上であった。
○：とれたゴミの個数が１０〜１４個本であった。
△：とれたゴミの個数が５〜９個であった。
×：とれたゴミの個数が４個以下であった。
【００２９】
（４）試験４
柄のついた清掃治具に清掃用シートを取り付け、この清掃用シートを取り付けた清掃治具を用いて１０名のパネラーに床掃除をさせ、１０名の評価を総合して判断した。下記評価基準に従って評価を行った。
◎：ゴミが非常によくとれた。
○：ゴミがとれた。
△：ゴミがあまりとれなかった。
×：ゴミが全然とれなかった。
【００３０】
（５）試験５
柄のついた清掃治具に清掃用シートを取り付け、この清掃用シートに水１０ｍｌを吸収させた。髪の毛２５本及び埃を床に撒き、水を吸収させた清掃用シートを取り付けた清掃治具を髪の毛及び埃の上を５往復させ、髪の毛が何本とれたかを目視により確認し、次いで装置治具の柄を持って５回振り、髪の毛が何本落ちたかを目視により確認した。下記評価基準に従って評価を行った。
◎：とれた髪の毛の本数が２０本以上であり、清掃治具を振っても髪の毛は落ちなかった。
○：とれた髪の毛の本数が２０本以上であり、清掃治具を振ると髪の毛が落ちた。
△：とれた髪の毛の本数が１０〜１９本であった。
×：とれた髪の毛の本数が０〜９本であるか、とれた髪の毛の本数が１０〜１９本であり、清掃治具を振ると髪の毛が落ちた。
【００３１】
実施例１
中間層を構成する繊維としてパルプ（クラフトパルプ）を用い、上面層及び下面層としてレーヨン／ポリエチレンテレフタレート／アクリル繊維（繊維長：５０ｍｍ、繊度：０．９ｄｔｅｘ）（７：２：１）を用い、図１に示す清掃用シートをスパンレース法により作製した。なお、清掃用シートの厚みは０．５ｍｍとなるように作製した。また、中間層の坪量は２３ｇ／ｍ2であり、上面層及び下面層の坪量は２１ｇ／ｍ2であった。
得られた清掃用シートについて、上述した評価を行った。評価結果を表１に示す。
【００３２】
比較例１
上面層及び下面層として、レーヨン／ポリエチレンテレフタレート（７：３）を用い、上面層及び下面層の坪量を１８ｇ／ｍ2とし、中間層の坪量を２７ｇ／ｍ2とした以外は、実施例１と同様に操作を行い、清掃用シートを作製した。得られた清掃用シートについて、実施例１と同様に評価を行った。評価結果を表１に示す。
【００３３】
【表１】
2005074133.tif 000003
【００３４】
表１から明らかなように、本発明の清掃用シートは、ゴミ等の拭き取り性能が良好なものである。
【図面の簡単な説明】
【００３５】
【図１】本発明の清掃用シートの実施形態における斜視図である。
【符号の説明】
【００３６】
１  清掃用シート
２  中間層
３  上面層
４  下面層
【図１】
2005074133.tif 000004